(57)【要約】【課題】既設のトイレットペーパーホルダーに加工を施すことなく取り付けることができ、トイレットペーパーを取り出しやすく、手の不自由な人でも足で簡単に操作できるトイレットペーパーホルダー用補助具を提供すること。【解決手段】トイレットペーパー１００の端面を回動自在に支持する側板２０２と、トイレットペーパー１００の上面を被覆するカバー２０３とを有するトイレットペーパーホルダー２００の補助具１に関し、足踏み操作により上昇又は下降し、足踏み操作を解除すると元の位置に復帰するよう付勢されたオーバーカバー２を備え、オーバーカバー２は、下降時に、カバー２０３の上面を被覆すると共に、その前縁がカバー２０３の前縁よりも下方に位置してペーパーカッターとなり、上昇時に、カバー２０３及びトイレットペーパー１００の先端部を露出させる。【選択図】図１
2008264067.tif 000002
【特許請求の範囲】
【請求項１】
中心軸を横にした状態でトイレットペーパーの端面を回動自在に支持する側板と、該トイレットペーパーの上面を被覆するカバーとを有するトイレットペーパーホルダーの補助具であって、足踏み操作により上昇又は下降し、足踏み操作を解除したときは元の位置に復帰するよう付勢されたオーバーカバーを備え、前記オーバーカバーは、下降時に、前記カバーの上面を被覆すると共に、その前縁が前記カバーの前縁よりも下方に位置してペーパーカッターとなり、上昇時に、前記カバー及びトイレットペーパーの先端部を露出させることを特徴としたトイレットペーパーホルダー用補助具。
【請求項２】
床面に設置され、足踏み操作とその解除によって上下動する踏み板と、前記オーバーカバーの上面とを、前記踏み板の上下動に伴って上下に摺動する連結棒によって連結し、該連結棒を長さ調節可能とした請求項１に記載のトイレットペーパーホルダー用補助具。
【請求項３】
前記トイレットペーパーホルダーの側板の外面にガイド筒を取り付け、該ガイド筒に前記連結棒を上下に摺動自在に挿通した請求項２に記載のトイレットペーパーホルダー用補助具。
【請求項４】
前記オーバーカバーの後端縁に沿って固定板を回動自在に設けると共に、該固定板を前記トイレットホルダーのカバーに固定した請求項２又は３に記載のトイレットペーパーホルダー用補助具。
【発明の詳細な説明】
【技術分野】
【０００１】
本発明は、一般的なトイレットペーパーホルダーに装着して、トイレットぺーパーの取り出しと切断を容易にするトイレットペーパーホルダー用補助具に関する。
【背景技術】
【０００２】
一般的なトイレットペーパーホルダーは、左右の側板の間にトイレットペーパーを横にして回動自在に支持するホルダー本体と、左右の側板の間に回動自在に設置され、トイレットペーパーの上方を覆う断面円弧状のカバーとを備える。
トイレットペーパーを使用するときは、その先端部をつまんで使用する長さまで引き出し、カバーの前部下縁をペーパーカッターにして切り取るのが普通である。
ところが、ロール状のトイレットペーパーの切断端はカバーの前部下縁と一致するので、次に取り出す際には、トイレットペーパーの先端をつまみ難く、このため、カバーを上に持ち上げてトイレットペーパーを露出させなければならない。
また、カバーの重さだけではトイレットペーパーの使用分を上方へ引き上げる力に抵抗することができないので、トイレットペーパーを切り取ろうとすると、一方の手でカバーを押し下げながら、他方の手でトイレットペーパーを引き上げなければならず、半身麻痺などで片手が不自由な人には、トイレットペーパーを切断するのが難しかった。
【０００３】
また、従来、トイレットペーパーの横幅同じ左右寸法を有するスライド片を、トイレットペーパーホルダーのカバーの上面前部に、トイレットペーパーの引き出し方向に対して前後にスライド可能に設け、トイレットペーパーを切断する時は、スライド片をカバーよりも下方へ延びるよう引き下ろし、トイレットペーパーを引き出す時は、スライド片を押し上げてトイレットペーパーの切断端部を露出させるトイレットペーパー用ホルダーが公知である（特許文献１参照）。
上記従来のトイレットペーパー用ホルダーによれば、スライド片を押し上げると、トイレットペーパーの先端部がカバーの前縁から下方に突出しているので掴みやすいという利点がある。
【０００４】
【特許文献１】特開２００３−２８４６５４号公報
【発明の開示】
【発明が解決しようとする課題】
【０００５】
しかし、上記従来のトイレットペーパー用ホルダーは、ホルダー本体側にスライド片をガイドし、固定する機構が必要なので、既存のトイレットペーパーホルダーにそのまま装着することはできない。また、スライド片を摺動させ、上昇位置又は下降位置で固定しこれを解除する面倒な操作を行わなければならない。
本発明が解決しようとする課題は、既設のトイレットペーパーホルダーに加工を施すことなく取り付けることができ、トイレットペーパーを取り出しやすく、手の不自由な人でも足で簡単に操作できるトイレットペーパーホルダー用補助具を提供することにある。
【課題を解決するための手段】
【０００６】
本発明のトイレットペーパーホルダー用補助具は、中心軸を横にした状態でトイレットペーパーの端面を回動自在に支持する側板と、該トイレットペーパーの上面を被覆するカバーとを有するトイレットペーパーホルダーの補助具であって、足踏み操作により上昇又は下降し、足踏み操作を解除したときは元の位置に復帰するよう付勢されたオーバーカバーを備え、前記オーバーカバーは、下降時に、前記カバーの上面を被覆すると共に、その前縁が前記カバーの前縁よりも下方に位置してペーパーカッターとなり、上昇時に、前記カバー及びトイレットペーパーの先端部を露出させる。
【０００７】
床面に設置され、足踏み操作とその解除によって上下動する踏み板と、前記オーバーカバーの上面とを、前記踏み板の上下動に伴って上下に摺動する連結棒によって連結し、該連結棒を長さ調節可能にすると良い。
前記トイレットペーパーホルダーの側板の外面にガイド筒を取り付け、該ガイド筒に前記連結棒を上下に摺動自在に挿通しても良い。
前記オーバーカバーの後端縁に沿って固定板を回動自在に設けると共に、該固定板を前記トイレットホルダーのカバーに固定することがある。
【発明の効果】
【０００８】
請求項１に係る発明によれば、カバーよりも下方に延びるオーバーカバーの下縁をペーパーカッターとしてトイレットペーパーを切断するので、オーバーカバーを上昇させるとトイレットペーパーの切断端がカバーよりも下方に突出し、このため、簡単にトイレットペーパーの先端部をつまんで引き出すことができる。
また、オーバーカバーの昇降を足踏み操作によって行うので、手の不自由な人でも簡単に操作でき、しかも、足踏み操作によりオーバーカバーに加わる力、或いは、オーバーカバーに加わる付勢力によって、オーバーカバーが押し下げられるので、片手でトイレットペーパーを切断することが可能である。
【０００９】
請求項２に係る発明によれば、オーバーカバーの設置位置を、既存のトイレットペーパーホルダーの高さに対応させることができる。
請求項３に係る発明によれば、連結棒がガイド筒に案内されて安定して摺動するので、オーバーカバーがスムーズに昇降する。
請求項４に係る発明によれば、オーバーカバーが昇降に伴ってずれる心配が無く、確実に所定の位置に保持される。
【発明を実施するための最良の形態】
【００１０】
トイレットルームの壁面に固定される背板と、中心軸を横にした状態でトイレットペーパーの端面を回動自在に支持する側板と、トイレットペーパーの上面を被覆するカバーとを有するトイレットペーパーホルダーの補助具に関する。
足踏み操作により上昇又は下降し、足踏み操作を解除したときは元の位置に復帰するよう付勢されたオーバーカバーを備える。
オーバーカバーは、下降時に、前記カバーの上面を被覆すると共に、その前縁がカバーの前縁よりも下方に位置してペーパーカッターとなり、上昇時に、カバー及びトイレットペーパーの先端部を露出させる。
【実施例１】
【００１１】
図１〜図５は、本発明の実施例１を示す。
本発明は、図１及び図２に示すように、トイレットペーパーホルダー２００の補助具１に関する。
トイレットペーパーホルダー２００は、一般的な構造のものであり、背板２０１と、背板２０１の前面両側縁から前方へ張り出し、中心軸を横にした状態でトイレットペーパー１００の端面を回動自在に支持する左右の側板２０２と、背板２０１の上端部から前方へ回動可能に張り出し、トイレットペーパー１００の上面を被覆するカバー２０３とを有する。また、トイレットペーパーホルダー２００の背板２０１は、トイレットルームの壁面に固定されている。
【００１２】
補助具１は、カバー２０３の上方に配設されるオーバーカバー２、床面に設置される足踏み板３、オーバーカバー２と足踏み板３とを連結する連結棒４、及び、連結棒４を案内するガイド筒５を備える。
オーバーカバー２の前部は、トイレットペーパーホルダー２００のカバー２０３の前部と同様に湾曲しており、オーバーカバー２の周長はカバー２０３の周長さよりやや長く、オーバーカバー２の幅は、カバー２０３とほぼ同じくなっている。
また、図３に示すように、オーバーカバー２の後端縁に沿って固定板６が回動自在に取り付けられる。固定板６は、オーバーカバー２と同幅で、オーバーカバー２の後端縁と交差する方向の寸法は、オーバーカバー２の張り出し幅よりも短い短冊状に形成してあって、トイレットペーパーホルダー２００のカバー２０３に両面粘着テープ等で取り付けられる。
【００１３】
足踏み板３は、足で踏みつけて操作するのに適した大きさであり、図４及び図５に示すように、その前端は床面に載置される基板７の前端部に枢着されている。
また、基板７と足踏み板３との間には、足踏み板３を上方へ押し上げるバネ８が設けられている。
連結棒４は、上棒９の下端部と下棒１０の上端部と摺動自在に嵌合して成り、上棒９と下棒１０を摺動させてから止めネジ１１を締付けることにより、連結棒４の長さを調節することができるようになっている。
図１及び図２に示すように、上棒９の上端は側方へ向けて屈曲され、さらにその先端が下方へ屈曲されて略逆Ｕ字形となっている。上棒９の先端面には平板状の固定片１２の上面中央部が回動自在に取り付けられている。
【００１４】
ガイド筒５は、連結棒４の直径よりやや大きい内径を有し、トイレットペーパーホルダー２００の側板２０２の高さより短く形成されている。
そして、ガイド筒５には連結棒４が上下に摺動自在に挿通される。
また、連結棒４の下端（下棒１０の下端）が足踏み板３の上面後端部に回動可能に接続され、固定片１２がオーバーカバー２の上面に両面粘着テープ等を介して固定されるようになっている。
【００１５】
この補助具１を既設のトイレットペーパーホルダー２００に取り付けるには、上棒９をガイド筒５に挿通しておき、ガイド筒５をトイレットペーパーホルダー２００の側板２０２の外面に両面粘着テープ等を介して取り付ける。
また、オーバーカバー２の後端に設けた固定板６の下面をカバー２０３の上面に両面粘着テープ等により固定する。
次いで、連結棒４の長さを調節して、足踏み板３を取り付けた基板７を前方に向けて床面に設置する。
【００１６】
常態では、図４に示すように、バネ８が足踏み板３を押し上げているので、足踏み板３の後端部が上昇位置にあり、足踏み板３の後端部に取り付けられた連結棒４も押し上げられている。
この結果、図１に示すように、連結棒４の先端に固定されたオーバーカバー２が上方に引き上げられてその後端を中心に上方へ回動し、カバー２０３及びトイレットペーパー１００の先端部が露出している。
【００１７】
足踏み板３を踏むと、図５に示すように、足踏み板３がその前端を中心として回動し、後端部が下降する。
すると、連結棒４が下方へ摺動して、図２に示すように、オーバーカバー２が押し下げられ、カバー２０３の上面を被覆する。この状態では、オーバーカバー２の前縁がカバー２０３の前縁より１ｃｍ〜３ｃｍ程度下方に位置して、トイレットペーパー１００を切り取るためのペーパーカッターとなる。
オーバーカバー２は、足踏み板３を踏みつける力によって下方へ押し下げられているので、上方へ浮き上がることなく簡単にトイレットペーパー１００を切り取ることができる。
【００１８】
さらに、足踏み板３を解放すると、バネ８の付勢力によって足踏み板３は押し上げられ、オーバーカバー２は上昇して元の位置に復帰する。
この結果、カバー２０３及びトイレットペーパー１００の先端部が露出するが、トイレットペーパー１００はカバー２０３の前縁より下方においてオーバーカバー２の前縁に沿って切り取られているので、トイレットペーパー１００の先端部はカバー２０３の下方に１ｃｍ〜３ｃｍ程度突出し、次にトイレットペーパー１００を使用するときに、その先端部を掴みやすい。
【実施例２】
【００１９】
図６及び図７は、本発明の実施例２を示す。
基板７の上面に設けられた支持突起１３の上端に、足踏み板３の下面中間部が軸着され、基板７の上面と足踏み板３の下面前端との間に、足踏み板３を押し上げるバネ８が設置されている。
また、足踏み板３の上面後端に連結棒４の下端が回動自在に接合されている。
【００２０】
常態では、図６に示すように、足踏み板３の前端がバネ８によって上方へ押し上げられて後端が下がっているので、連結棒４と連結棒４に固定されているオーバーカバー２も下降しており、オーバーカバー２がカバー２０３及びトイレットペーパー１００の先端部を上方から被覆している。
また、この状態では、バネ８の力によってオーバーカバー２が下方のトイレットペーパー１００に向けて押付けられているので、トイレットペーパー１００を切り取る際に、オーバーカバー２が浮き上がることはない。
【００２１】
図７に示すように、足踏み板３の前端部を踏んで押し下げると、足踏み板３が支持突起１３の上端を中心として回動し、足踏み板３の後端及び連結棒４が上昇する。すると、連結棒４に固定されたオーバーカバー２が上昇し、カバー２０３及びトイレットペーパー１００の先端部が露出する。
足踏み板３を解放すると、その前端部がバネ８の付勢力によって押し上げられ、オーバーカバー２は再度下降する。
その他の構成及び使用方法は実施例１と変わるところはない。
【００２２】
なお、連結棒４の下部の垂直部分と上部の逆Ｕ字形部分とをリンク機構を介して接続し、連結棒４の下部が下降した時に上部の逆Ｕ字形部分が回動して、オーバーカバー２が上昇すると共に、連結棒４の下部が上昇したときにオーバーカバー２が下降するようにしても良い。
【図面の簡単な説明】
【００２３】
【図１】実施例１を示すトイレットペーパーホルダー用補助具のオーバーカバー上昇時における斜視図。
【図２】実施例１を示すトイレットペーパーホルダー用補助具のオーバーカバー下降時における斜視図。
【図３】オーバーカバーの斜視図。
【図４】実施例１を示すトイレットペーパーホルダー用補助具のオーバーカバー上昇時における要部側面図。
【図５】実施例１を示すトイレットペーパーホルダー用補助具のオーバーカバー下降時における要部側面図。
【図６】実施例２を示すトイレットペーパーホルダー用補助具のオーバーカバー下降時における要部側面図。
【図７】実施例１を示すトイレットペーパーホルダー用補助具のオーバーカバー上昇時における要部側面図。
【符号の説明】
【００２４】
１００  トイレットペーパー
２００  トイレットペーパーホルダー
２０１  背板
２０２  側板
２０３  カバー
１  補助具
２  オーバーカバー
３  足踏み板
４  連結棒
５  ガイド筒
６  固定板
７  基板
８  バネ
９  上棒
１０  下棒
１１  止めネジ
１２  固定片
１３  支持突起
【図１】
2008264067.tif 000003
【図２】
2008264067.tif 000004
【図３】
2008264067.tif 000005
【図４】
2008264067.tif 000006
【図５】
2008264067.tif 000007
【図６】
2008264067.tif 000008
【図７】
2008264067.tif 000009